(57)【要約】【課題】  車両内においてもインタラクティブ機能を有効に活用することができる「車載用表示システム」を提供する。【解決手段】  本発明に係る車載用表示システムは、インタラクティブデータを含むコンテンツデータを記録した記録媒体を再生するディスプレイ再生装置と、フロントおよびリアディスプレイと、ディスク再生装置により再生されたコンテンツデータをディスプレイに表示する画像合成部と、ディスプレイの表示サイズに応じてメインコンテンツ１００中のインタラクティブデータ１１０の表示サイズを可変する表示制御部とを有する。【選択図】  図１０
2009001175.tif 000002
【特許請求の範囲】
【請求項１】
インタラクティブデータを含むコンテンツデータを記録した記録媒体であって、当該記録媒体に記録されたコンテンツデータを再生する再生手段と、
ディスプレイと、
前記再生手段により再生されたコンテンツデータをディスプレイに表示する表示手段と、
ディスプレイにインタラクティブデータを表示するとき、ディスプレイの表示サイズに応じて前記インタラクティブデータの表示サイズを変更するように前記表示手段を制御する表示制御手段と、
を有する車載用表示システム。
【請求項２】
前記表示制御手段は、ディスプレイの表示サイズが一定以下のとき、インタラクティブデータを拡大して表示する、請求項１に記載の車載用表示システム。
【請求項３】
前記インタラクティブデータは、コンテンツデータの再生中に表示されるメニューである、請求項１に記載の車載用表示システム。
【請求項４】
前記メニューは、記録媒体に記録されたコンテンツデータを表すサムネイルである、請求項３に記載の車載用表示システム。
【請求項５】
前記ディスプレイは、車内においてフロント座席用とリア座席用とにそれぞれ配置され、前記表示制御手段は、車両が停止しているとき、フロント座席用およびリア座席用のディスプレイにそれぞれインタラクティブデータを表示させ、車両が走行しているとき、リア座席用のディスプレイにインタラクティブデータを表示させる、請求項１に記載の車載用表示システム。
【請求項６】
車載用ディスプレイにインタラクティブデータを表示する表示方法であって、
インタラクティブデータを含むコンテンツデータを記録した記録媒体を再生するステップと、
ディスプレイにインタラクティブデータを表示するとき、ディスプレイの表示サイズに応じてインタラクティブデータの表示サイズを変更するステップと、
を有する表示方法。
【請求項７】
前記変更するステップは、ディスプレイの表示サイズが一定以下のとき、インタラクティブデータの表示サイズを拡大する、請求項６に記載の表示方法。
【請求項８】
インタラクティブデータは、コンテンツデータの再生中に表示されるメニューである、請求項６に記載の表示方法。
【請求項９】
前記メニューは、記録媒体に記憶されたコンテンツデータを表すサムネイルである、請求項８に記載の表示方法。
【請求項１０】
車内においてフロント座席用およびリア座席用とにそれぞれディスプレイが配置され、車両が停止しているとき、フロント座席用およびリア座席用のディスプレイにそれぞれインタラクティブデータを表示させ、車両が走行しているとき、リア座席用のディスプレイにインタラクティブデータを表示させる、請求項６に記載の表示方法。
【発明の詳細な説明】
【技術分野】
【０００１】
本発明は、車載用表示システムに関し、特に、ＤＶＤ等の記録媒体を再生するときのインタラクティブ機能の表示に関する。
【背景技術】
【０００２】
自動車等の車両には、ＤＶＤやＣＤ等のディスクや半導体メモリ等に記録されたマルチメディアデータを再生するオーディオ・ビジュアル（ＡＶ）装置が搭載され、また、目的地までの経路を誘導するナビゲーション装置が搭載されている。ＡＶ装置やナビゲーション装置から出力される映像データを表示するディスプレイは、運転席または助手席の前方に配置されるが、最近では、車室内のエンターテイメント性をより向上させるため、後部座席用のリアディスプレイも配置されている。
【０００３】
特許文献１は、運転者の周辺に配置するフロントモニタ以外にリアモニタを搭載した車両において、車両の走行中でもリアモニタで視聴するＤＶＤ等のＡＶ機器の操作を、フロントモニタ側から安全に行うことができるモニタ制御装置を開示している。
【０００４】
【特許文献１】特開２００６−１０３４５０号
【発明の開示】
【発明が解決しようとする課題】
【０００５】
記録媒体の進歩により高記録密度のブルーレイディスクやＨＤＤＶＤ等が開発されている。これらのディスクの記憶容量は、１５ＧＢ〜５０ＧＢと大きく、高画質、高音質（７．１ｃｈ）の映像および音声の再生が可能となっている。さらには、記録媒体にインタラクティブデータを記録することで、再生時にインタラクティブ機能またはユーザデマンドによる対話が可能になっている。インタラクティブ機能は、例えば、ピクチャーインピクチャー機能により、メインコンテンツデータを再生中にポップアップメニューを表示し、メニューからユーザの要求を受け付けることができる。
【０００６】
フロントおよびリアにディスプレイを搭載した車両において、一般にフロントディスプレイは、車両の走行中に映像を非表示とされるが、リアディスプレイは、走行中に映像を表示することができる。しかし、リアディスプレイは、運転席と助手席の間のヘッドレスト間に配置されたり、天井に吊るされるため、車内空間の制約および運転者の一視界確保の面から、サイズの大型化を図るのは難しい。インタラクティブ機能により表示されるポップアップメニューは、メインコンテンツ内に表示されるため、ディスプレイの表示サイズが小さいと、メニューが非常に見難くなってしまい、結局のところ、車内においてインタラクティブ機能を有効に利用することができないという課題がある。
【０００７】
本発明は、上記従来の課題を解決し、車内においてもインタラクティブ機能を有効に活用することができる車載用表示システムを提供することを目的とする。
【課題を解決するための手段】
【０００８】
本発明に係る車載用表示システムは、インタラクティブデータを含むコンテンツデータを記録した記録媒体であって、当該記録媒体に記録されたコンテンツデータを再生する再生手段と、ディスプレイと、前記再生手段により再生されたコンテンツデータをディスプレイに表示する表示手段と、ディスプレイにインタラクティブデータを表示するとき、ディスプレイの表示サイズに応じて前記インタラクティブデータの表示サイズを変更するように前記表示手段を制御する表示制御手段とを有する。
【０００９】
好ましくは表示制御手段は、ディスプレイの表示サイズが一定以下のとき、インタラクティブデータを拡大して表示する。好ましくは、前記インタラクティブデータは、コンテンツデータの再生中に表示されるメニューである。また、メニューは、例えば記録媒体に記憶されたコンテンツデータを表すサムネイルである。
【００１０】
好ましくはディスプレイは、車内においてフロント座席用とリア座席用とにそれぞれ配置され、表示制御手段は、車両が停止しているとき、フロント座席用およびリア座席用のディスプレイにインタラクティブデータを表示させ、車両が走行しているとき、リア座席用のディスプレイにインタラクティブデータを表示させることができる。
【００１１】
本発明に係る車載用ディスプレイにインタラクティブデータを表示する表示方法は、インタラクティブデータを含むコンテンツデータを記録した記録媒体を再生するステップと、ディスプレイにインタラクティブデータを表示するとき、ディスプレイの表示サイズに応じてインタラクティブデータの表示サイズを変更するステップとを有する。
【発明の効果】
【００１２】
本発明によれば、ディスプレイの表示サイズに応じてインタラクティブデータの表示サイズを変更するようにしたので、車内のディスプレイの表示サイズが小さくても、インタラクティブデータを大きく見易く表示させることができ、車内においてインタラクティブ機能を有効に活用することができる。
【発明を実施するための最良の形態】
【００１３】
本発明の最良の実施の形態について図面を参照して詳細に説明する。ここでは、好ましい態様として、自動車の車室内にディスプレイが配置された車載用表示システムを説明する。また、ここでは、オーディオ装置、ビジュアル装置、およびナビゲーション装置が統合されたＡＶＮ装置を用いるものとする。
【実施例】
【００１４】
図１は、本実施例に係る車載用表示システムの構成例を示す図である。同図（Ａ）に示すシステム１０Ａでは、フロントディスプレイ２０とＡＶＮ装置３０が一体的に構成され、ＡＶＮ装置３０とリアディスプレイ４０との間でマルチメディアデータや制御信号等の送受が行われる。同図（Ｂ）に示すシステム１０Ｂでは、ＡＶＮ装置３０がスタンドアロンとしてフロントディスプレイ２０およびリアディスプレイ４０から独立して配置され、ＡＶＮ装置３０は、両ディスプレイ２０、４０との間でマルチメディアデータや制御信号の送受を行う。
【００１５】
フロントディスプレイ２０は、運転席や助手席を対象にし、例えば、車両のダッシュボードに取り付けられる。リアディスプレイ４０は、後部座席を対象にし、例えば、薄型の液晶ディスプレイを運転席や助手席のヘッドレストに取り付けたり、あるいは天井に開閉可能に取り付けることができる。リアディスプレイ４０は、必ずしも１つに限らず複数設けても良い。
【００１６】
図２は、ＡＶＮ装置の構成を示すブロック図である。ＡＶＮ装置３０は、リモコン、タッチパネル、マウス等のユーザからの入力を受け付ける入力装置５０と、車速パルス信号やパーキングブレーキの状態から車両の走行状態等を検出する車両状態検出部５２と、信号線Ｆ、Ｒを介してフロントディスプレイ２０およびリアディスプレイ４０との間でマルチメディアデータや制御信号の送受を行うインターフェース（Ｉ／Ｆ）５４と、自車位置周辺の道路地図や目的地までの誘導経路の案内を行うナビゲーション装置５６と、ブルーレイディスク、ＤＶＤ、ＣＤ等の記録媒体に記録されたデータを再生するディスク再生装置５８と、テレビ放送やラジオ放送を受信するテレビ・ラジオ受信装置６０と、種々のデータを保存する記憶装置６２と、各部を制御するコントローラ６４とを含んで構成される。ＡＶＮ装置３０はさらに、接続ポート６６を介して他の携帯用電子機器やその他の記録媒体を接続することも可能である。
【００１７】
コントローラ６４は、入力装置５０からの入力に応じてナビゲーション装置５６、ディスク再生装置５８およびテレビ受信装置６０を制御する。また、コントローラ６４は、インターフェース５４を制御し、信号線Ｆを介してビデオ信号をフロントディスプレイ２０に送り、信号線Ｒを介してビデオ信号をリアディスプレイ４０に送ることができる。
【００１８】
図３は、ディスク再生装置によって再生されるディスクのデータ構造を示す図である。同図に示すように、ディスクには、ビデオデータストリーム７０、オーディオデータストリーム７２、サブタイトル等を含むプレゼンテーションストリーム７４、およびインタラクティブ用のメニューを表示するためのインタラクティブストリーム７６が多重化されて１つのコンテンツデータ７８またはマルチメディアデータを構成している。さらに、ディスクは、コンテンツデータを再生するのに必要な制御データ８０を含んでいる。制御データ８０は、例えば、コンテンツデータ７８の符号化のタイプ、コンテンツデータ７８に含まれるデータの種類、記録された領域情報などを含んでいる。
【００１９】
図４は、ディスク再生装置の構成例を示すブロック図である。同図に示すように、ブルーレイディスクやＨＤＤＶＤ等のディスクＤに記録された多重化されたコンテンツデータ７８を読取る読取部８２と、読取部８２によって読取られたコンテンツデータ７８をビデオデータ、オーディオデータ、プレゼンテーションデータおよびインタラクティブデータにそれぞれ分離するデマルチプレクサ（ＤＭＵＸ）８４と、分離されたデータをそれぞれデコードするビデオデコーダ８６、オーディオデコーダ８８、プレゼンテーションデコーダ９０、およびインタラクティブデコーダ９２とを有している。
【００２０】
さらにディスク再生装置は、ビデオデコーダ８６、プレゼンテーションデコーダ９０およびインタラクティブデコーダ９２によってデコードされたビデオデータを合成する映像合成部９４を含み、映像合成部９４で合成されたビデオデータは、インターフェース５４の信号線Ｆおよび／または信号線Ｒを介してフロントディスプレイおよび／またはリアディスプレイ４０に送信される。また、映像合成部９４は、後述するようにコントローラ６４からの制御信号Ｓによって、合成するインタラクティブデータの表示サイズを可変する機能を有している。オーディオデコーダ８８によってデコードされたオーディオデータは図示しないスピーカから出力される。
【００２１】
ここで、インタラクティブ機能について説明する。インタラクティブデコーダ９２によってデコードされたインタラクティブデータは、例えば、図５に示すように、ディスプレイ上のメインコンテンツ１００の再生中にポップアップメニュー１１０として表示される。ポップアップ表示されたメニュー１１０は、いわゆるピクチャーインピクチャーであり、例えば、ディスクＤに記録されているコンテンツデータのサムネイルなどを表示する。図５は、サムネイルＰ、Ｑ、Ｒがメニューとして表示されている例を示している。
【００２２】
メニュー１１０を介してユーザからの入力があると、その入力がコントローラ６４へ伝えられ、ユーザにより要求されたコンテンツデータの再生が可能になる。このようなインタラクティブ機能は、コントローラ６４の制御によって、指定された時間にメインコンテンツ上に表示することも可能である。
【００２３】
図６は、図２に示すＡＶＮ装置のコントローラの機能ブロック図である。コントローラ６４は、車両状態検出部５２からの検出信号に基づき車両が走行中か否かを判定する車両状態判定部１２０と、入力装置５０からの入力等に基づきどの装置が動作選択されているかを判定するソース判定部１２２と、車両状態判定部１２０およびソース判定部１２２の判定結果に応じてディスプレイの動作を制御するディスプレイ制御部１２４と、インタラクティブ機能が表示されるか否かを判定するインタラクティブ判定部１２６と、インタラクティブ機能が表示されるとき、インタラクティブ表示を制御するサイズ制御部１２８とを有する。
【００２４】
次に、車載用表示システムの動作について図７のフローチャートを参照して説明する。先ず、ＡＶＮ装置が起動され、ソース判定部１２２は、ＡＶＮ装置に含まれる各装置の動作状態を検出する（ステップＳ１０１）。次に、ソース判定部１２２は、ディスク再生装置５８の動作が選択されているか否かを判定する（ステップＳ１０２）。ディスク再生装置５８が動作選択されたと判定されると、インタラクティブ機能判定部１２６は、インタラクティブ機能が表示されるか否かを判定する（ステップＳ１０３）。この判定は、例えばインタラクティブデコーダ９２の動作を監視することにより行われる。あるいは、ディスクに記録された制御情報を参照しインタラクティブ機能の再生順序を監視してもよい。
【００２５】
次に、車両状態検出部５２により車両状態が検出され（ステップＳ１０４）、車両状態判定部１２０は車両が走行中であるか否かを判定する（ステップＳ１０５）。車両が走行中であると判定されたとき、ディスプレイ制御部１２４は、インターフェース５４を介してフロントディスプレイ２０へのインタラクティブデータの供給を停止し、リアディスプレイ４０にのみインタラクティブデータを供給する（ステップＳ１０６）。他方、車両が停止中であると判定されると、ディスプレイ制御部１２４は、インターフェース５４を介してフロントディスプレイ２０およびリアディスプレイ４０の双方にインタラクティブデータを供給する（ステップＳ１０７）。
【００２６】
車両の停止時には、図５に示すように、フロントおよびリアディスプレイの双方にメインコンテンツ１００の再生中にポップアップメニュー１１０が表示される。他方、車両が走行中には、図８（Ａ）に示すように、フロントディスプレイ２０にはメインコンテンツ１００が再生され、図８（Ｂ）に示すように、リアディスプレイ４０にはメインコンテンツ１００の再生中にポップアップメニュー１１０が表示される。
【００２７】
次に、車載用表示システムの他の動作について図９のフローチャートを参照して説明する。ステップＳ１０１からステップＳ１０３までは図７のフローと同じである。インタラクティブ機能が表示されると判定された場合（ステップＳ１０３）、サイズ制御部１２８は、ディスプレイの表示サイズがしきい値よりも大きいか否かを判定する（ステップＳ２０１）。この判定は、例えば、フロントディスプレイ２０やリアディスプレイ４０をシステムに接続するときに、それぞれの表示サイズを設定し、当該設定された表示サイズとしきい値とを比較する。しきい値は、例えばデフォルトで１４インチと設定されるが、しきい値は、ユーザの好みによって適宜変更することができる。
【００２８】
ディスプレイの表示サイズがしきい値よりも小さいと判定されると、サイズ制御部１２８は、制御信号Ｓを介して画像合成部９４（図４を参照）を制御し、インタラクティブデータの表示サイズを拡大させる（ステップＳ２０２）。ディスプレイの表示サイズがしきい値以上であると判定された場合には、インタラクティブデータは、そのままのサイズでメインコンテンツ中に表示される。
【００２９】
図１０（Ａ）は、ディスプレイの表示サイズがしきい値以上のとき、メインコンテンツ１００にポップアップメニュー１１０がそのままのサイズで表示された例である。図（Ｂ）は、ディスプレイの表示サイズがしきい値より小さいとき、メインコンテンツ１００にサイズが拡大されたポップアップメニュー１１０ａが表示された例である。これにより、車載用ディスプレイの表示サイズが小さくても、ポップアップメニューを拡大して詳細に見やすく表示することができ、車内におけるインタラクティブ機能をより活用することができる。
【００３０】
なお、インタラクティブ機能の表示は、図７に示したように、走行中であるときは、リアディスプレイ４０にのみ表示するようにしてもよい。このとき、ポップアップメニューは、表示サイズが小さければリアディスプレイでのみ拡大して表示される。
【００３１】
次に、インタラクティブデータの表示サイズの拡大方法について説明する。表示サイズ制御部１２８は、ディスプレイの表示サイズに応じてインタラクティブデータの表示サイズを可変することができる。すなわち、表示サイズが小さければ、それに反して、インタラクティブデータの表示サイズを拡大する。表示サイズ制御部１２８は、例えば図１１（Ａ）に示すようなディスプレイの表示サイズと拡大率の関係を規定するテーブルを含むことができる。ここでは、ディスプレイの表示サイズが１５インチであるとき、インタラクティブデータをデフォルト状態の大きさで表示し、ディスプレイの表示サイズが小さくなるにつれ、インタラクティブデータの大きさの拡大率を増加させる。例えば、ディスプレイが１０インチのとき、インタラクティブデータを５０％拡大して表示する。この場合、しきい値は、１５インチとなる。
【００３２】
また、図１１（Ｂ）は、ディスプレイのアスペクト比と拡大率の関係を示したテーブルである。好ましくは、インタラクティブデータをアスペクト比に応じて拡大することが望ましい。また、アスペクト比が横長の方がメニューが小さくなるので、その拡大率を大きくしてもよい。
【００３３】
さらに図１１（Ｃ）に示すように、車両の走行状態に応じて拡大率を可変するようにしてよい。例えば、車両が走行中であるとき、フロントディスプレイのインタラクティブデータの大きさはそのままとし、リアディスプレイのみ拡大する。そして、車両が停止中のとき、フロントディスプレイおよびリアディスプレイの拡大率を走行中のときよりも大きくする。ここでは、走行中のリアディスプレイの拡大率が３０％であるが、停止中のとき、双方のディスプレイの拡大率を５０％にしている。
【００３４】
さらに、フロントディスプレイとリアディスプレイの表示サイズがそれぞれ異なる場合には、それぞれのディスプレイ毎にインタラクティブデータの表示サイズを可変することができる。
【００３５】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００３６】
例えば、上記実施例では、インタラクティブ機能の表示例として、ポップアップメニューを用いたが、これに限らず、ユーザとの対話を図るための表示であればよい。また、車載用表示システムは、ＡＶＮ装置に限らず、ディスク再生装置であってもよい。
【図面の簡単な説明】
【００３７】
【図１】本発明の実施例に係る車載用表示システムの構成例を示す図である。
【図２】図１に示すＡＶＮ装置の構成例を示すブロック図である。
【図３】ディスクに記録されたデータ構造の例を示す図である。
【図４】ディスク再生装置の構成を示すブロック図である。
【図５】インタラクティブ機能の表示例である。
【図６】コントローラの機能ブロック図である。
【図７】本実施例の車載用表示システムの動作フローを示す図である。
【図８】走行時のフロントディスプレイとリアディスプレイのインタラクティブ機能の表示例を示す図である。
【図９】本実施例の車載用表示システムの他の動作フローを示す図である。
【図１０】図１０（Ａ）はインタラクティブ機能の通常表示を示し、図１０（Ｂ）はインタラクティブ機能の拡大表示を示す図である。
【図１１】インタラクティブデータの拡大方法の例を示す図である。
【符号の説明】
【００３８】
１０Ａ、１０Ｂ：車載用表示システム    ２０：フロントディスプレイ
３０：ＡＶＮ装置                      ４０：リアディスプレイ
５０：入力装置                        ５２：車両状態検出部
５４：インターフェース                ５６：ナビゲーション装置
５８：ディスク再生装置                ６０：テレビ・ラジオ受信装置
６２：記憶装置                        ６４：接続ポート
７０：ビデオストリーム                ７２：オーディオストリーム
７４：プレゼンテーションストリーム    ７６：インタラクティブストリーム
７８：コンテンツデータ                ８０：制御情報
８２：読取部                          ８４：デマルチプレクサ
８６：ビデオデコーダ                  ８８：オーディオデコーダ
９０：プレゼンテーションデコーダ      ９２：インタラクティブデコーダ
９４：映像合成部                      １００：メインコンテンツ
１１０：ポップアップメニュー          １２０：車両状態判定部
１２２：ソース判定部                  １２４：ディスプレイ制御部
１２６：インタラクティブ判定部        １２８：表示制御部
【図１】
2009001175.tif 000003
【図２】
2009001175.tif 000004
【図３】
2009001175.tif 000005
【図４】
2009001175.tif 000006
【図５】
2009001175.tif 000007
【図６】
2009001175.tif 000008
【図７】
2009001175.tif 000009
【図８】
2009001175.tif 000010
【図９】
2009001175.tif 000011
【図１０】
2009001175.tif 000012
【図１１】
2009001175.tif 000013